(57)【特許請求の範囲】
【請求項１】
カップホルダに収納される車載用送風装置において、外周面上に吸込口を開口する本体部と、吹出口を開口して前記本体部の上面を覆う上面板と、前記吸込口と前記吹出口とを連通させる空気通路と、前記空気通路内に配される送風機と、前記本体部の上部に回転可能に配された環状の回転部と、前記回転部の下方で前記本体部に連結して前記本体部の周面に沿ったアーチ状に形成されるとともに前記回転部の回転によって径方向に進退する進退部とを備えたことを特徴とする車載用送風装置。
【請求項２】
前記上面板が前記本体部と一体に形成されることを特徴とする請求項１に記載の車載用送風装置。
【請求項３】
前記吸込口に配して塵埃を捕集するフィルタを備え、前記進退部によって前記吸込口が開閉されることを特徴とする請求項１または請求項２に記載の車載用送風装置。
【請求項４】
カップホルダに収納されるカップホルダ収納具において、断面円形の外周面を有して上面を開放した有底筒状の本体部と、前記本体部の上部に回転可能に配された環状の回転部と、前記回転部の下方で前記本体部に連結して前記本体部の周面に沿ったアーチ状に形成されるとともに前記回転部の回転によって径方向に進退する進退部とを備えたことを特徴とするカップホルダ収納具。
【請求項５】
前記回転部の上方に配されて前記本体部と一体に形成される環状の固定部を備えたことを特徴とする請求項４に記載のカップホルダ収納具。
【発明の詳細な説明】
【技術分野】
【０００１】
本発明はカップホルダに収納してイオン等を送出する車載用送風装置に関する。また本発明は車室内に設けられたカップホルダに収納されるカップホルダ収納具に関する。
【背景技術】
【０００２】
従来の車載用送風装置は特許文献１に開示される。この車載用送風装置は車室内に設けられたカップホルダに収納される円柱形状の筐体を備えている。筐体の周面には吸込口が開口し、上面には周方向の一部に吹出口が開口する。筐体内には吸込口と吹出口とを連通させる空気通路が形成される。空気通路内には送風機及びイオン発生部が配される。
【０００３】
送風機及びイオン発生部が駆動されると、車室内の空気が吸込口を介して空気通路内に流入する。空気通路を流通する空気にはイオン発生部から放出されるイオンが含まれ、吹出口から送出される。これにより、イオンの除菌効果や脱臭効果によって車室内の空気が清浄化される。
【先行技術文献】
【特許文献】
【０００４】
【特許文献１】特開２００５−９６４９９号公報（第４頁−第１４頁、第２図）
【発明の概要】
【発明が解決しようとする課題】
【０００５】
しかしながら、上記従来の車載用送風装置によると、運転中の振動によってカップホルダ内で筐体のがたつきが発生する。これにより、カップホルダと筐体との衝突音が発生する場合や、カップホルダから車載用送風装置から脱落する場合がある。
【０００６】
また、振動により車載用送風装置が回転して吹出口の位置がずれて所望の方向に送風されない場合や、筐体周面の吸込口がカップホルダの周壁に塞がれて風量が減少する場合もある。このため、車載用送風装置の利便性が悪い問題があった。
【０００７】
また、カップホルダ内に収納される灰皿等のカップホルダ収納具においても同様に、振動によってカップホルダ内で筐体のがたつきが生じて利便性が悪い問題があった。
【０００８】
本発明は、利便性を向上できる車載用送風装置を提供することを目的とする。また本発明は、利便性を向上できるカップホルダ収納具を提供することを目的とする。
【課題を解決するための手段】
【０００９】
上記目的を達成するために本発明は、カップホルダに収納される車載用送風装置において、断面円形の外周面上に吸込口を開口する本体部と、吹出口を開口して前記本体部の上面を覆う上面板と、前記吸込口と前記吹出口とを連通させる空気通路と、前記空気通路内に配される送風機と、前記本体部の上部に回転可能に配された環状の回転部と、前記回転部の下方で前記本体部に連結して前記本体部の周面に沿ったアーチ状に形成されるとともに前記回転部の回転によって径方向に進退する進退部とを備えたことを特徴としている。
【００１０】
また本発明は、上記構成の車載用送風装置において、前記上面板が前記本体部と一体に形成されることを特徴としている。
【００１１】
また本発明は、上記構成の車載用送風装置において、イオンを発生して前記空気通路に放出するイオン発生部を備えたことを特徴としている。
【００１２】
また本発明は、上記構成の車載用送風装置において、前記吸込口に配して塵埃を捕集するフィルタを備え、前記進退部によって前記吸込口が開閉されることを特徴としている。
【００１３】
また本発明は、上記構成の車載用送風装置において、前記進退部の外周面に滑り止め部材を配したことを特徴としている。
【００１４】
また本発明は、上記構成の車載用送風装置において、前記進退部の一端が前記本体部に軸支され、他端がリンク部材を介して前記回転部に連結されることを特徴としている。
【００１５】
また本発明は、上記構成の車載用送風装置において、前記進退部の一端が第１リンク部材を介して前記本体部に連結され、他端が第２リンク部材を介して前記回転部に連結されることを特徴としている。
【００１６】
また本発明は、上記構成の車載用送風装置において、前記進退部の一端が前記本体部に軸支され、前記進退部の他端及び前記回転部の一方に周方向に対して傾斜するカム溝を設けるとともに、他方に前記カム溝に係合するカム突起を設けたことを特徴としている。
【００１７】
また本発明は、カップホルダに収納されるカップホルダ収納具において、断面円形の外周面を有して上面を開放した有底筒状の本体部と、前記本体部の上部に回転可能に配された環状の回転部と、前記回転部の下方で前記本体部に連結して前記本体部の周面に沿ったアーチ状に形成されるとともに前記回転部の回転によって径方向に進退する進退部とを備えたことを特徴としている。
【００１８】
また本発明は、上記構成のカップホルダ収納具において、前記回転部の上方に配されて前記本体部と一体に形成される環状の固定部を備えたことを特徴としている。
【００１９】
また本発明は、上記構成のカップホルダ収納具において、前記進退部の外面に滑り止め部材を配したことを特徴としている。
【００２０】
また本発明は、上記構成のカップホルダ収納具において、前記進退部の一端が前記本体部に軸支され、他端がリンク部材を介して前記回転部に連結されることを特徴としている。
【００２１】
また本発明は、上記構成のカップホルダ収納具において、前記進退部の一端が第１リンク部材を介して前記本体部に連結され、他端が第２リンク部材を介して前記回転部に連結されることを特徴としている。
【００２２】
また本発明は、上記構成のカップホルダ収納具において、前記進退部の一端が前記本体部に軸支され、前記進退部の他端及び前記回転部の一方に周方向に対して傾斜するカム溝を設けるとともに、他方に前記カム溝に係合するカム突起を設けたことを特徴としている。
【発明の効果】
【００２３】
本発明の車載用送風装置によると、本体部に設けた環状の回転部の回転によって、本体部の周面に沿ったアーチ状の進退部が径方向に進退する。これにより、カップホルダの内面に進退部が当接し、振動による車載用送風装置のがたつきが防止される。
【００２４】
このため、車載用送風装置とカップホルダとの衝突音や車載用送風装置の脱落を防止することができる。また、吹出口の位置が保持されて所望の方向に送風できるとともに、吸込口がカップホルダの周壁に塞がれないため風量の減少が防止される。従って、車載用送風装置の利便性を向上することができる。また、本体部の周囲に回転部及び進退部を配置して、本体部の内部に空気が流通する空気通路を容易に形成することができる。
【００２５】
また、本発明のカップホルダ収納具によると、本体部に設けた環状の回転部の回転によって、本体部の周面に沿ったアーチ状の進退部が径方向に進退する。これにより、カップホルダの内面に進退部が当接し、振動によるカップホルダ収納具とカップホルダとの衝突音やカップホルダ収納具の脱落を防止することができる。また、本体部の周囲に回転部及び進退部を配置して、本体部の内部に上面を開放した収納空間を容易に形成することができる。従って、カップホルダ収納具の利便性を向上することができる。
【図面の簡単な説明】
【００２６】
【図１】本発明の第１実施形態の送風装置を示す斜視図
【図２】本発明の第１実施形態の送風装置を示す正面断面図
【図３】本発明の第１実施形態の送風装置の進退部の取り付け構造を示す斜視図
【図４】本発明の第１実施形態の送風装置の進退部が突出した状態を示す斜視図
【図５】本発明の第２実施形態の送風装置の進退部の取り付け構造を示す斜視図
【図６】本発明の第２実施形態の送風装置の進退部が突出した状態を示す斜視図
【図７】本発明の第３実施形態の送風装置の進退部の取り付け構造を示す上面図
【図８】本発明の第２実施形態の送風装置の進退部が突出した状態を示す上面図
【図９】本発明の第４実施形態の送風装置を示す斜視図
【図１０】本発明の第４実施形態の送風装置の進退部が突出した状態を示す斜視図
【図１１】本発明の第５実施形態の送風装置を示す斜視図
【図１２】本発明の第５実施形態の送風装置を示す正面断面図
【図１３】本発明の第５実施形態の送風装置の進退部が突出した状態を示す斜視図
【図１４】本発明の第６実施形態の送風装置を示す正面断面図
【図１５】本発明の第６実施形態の送風装置のアダプタの進退部が突出した状態を示す斜視図
【図１６】本発明の第７実施形態の送風装置のアダプタの進退部が突出した状態を示す斜視図
【図１７】本発明の第８実施形態の灰皿の進退部が突出した状態を示す斜視図
【発明を実施するための形態】
【００２７】
＜第１実施形態＞
以下に図面を参照して本発明の実施形態を説明する。図１、図２は第１実施形態の送風装置の斜視図及び正面断面図を示している。送風装置１（車載用送風装置）は車室内に設けられたカップホルダ５０に収納される円柱状の筐体２を備えている。
【００２８】
筐体２は円筒面の外周面を有した有底筒状の本体部２１を備え、本体部２１の上面が上面板２７により覆われる。上面板２７上には操作パネル（不図示）が設けられる。本体部２１内の上部には各部を制御する制御部１０が設けられる。尚、本体部２１の外周面は断面略円形であれば上下方向に径を可変してもよい。
【００２９】
本体部２１の上端部には上面板２７と一体に形成される環状の回転部２２が外嵌される。本体部２１の周面から突出する係合爪２１ｃが回転部２２の内周面に凹設した環状の溝部に嵌合して回転部２２が回転可能に配される。回転部２２には周方向に延びる長孔２２ａが開口し、シガーソケットに接続される電源コード９が長孔２２ａを介して導出される。回転部２２の外周面上には手指の滑り止めのために凹凸部２２ｂが設けられる。
【００３０】
回転部２２の下方には詳細を後述するアーチ状の複数（本実施形態では４個）の進退部２６が本体部２１の周面に沿って並設される。進退部２６の外周面にはゴムやエラストマ等により形成される滑り止め部材（不図示）が配されている。
【００３１】
本体部２１の周面の下部には吸込口３が開口し、上面板２７には周方向の一部に吹出口４が開口する。吸込口３には塵埃や花粉を捕集するフィルタ８が配される。本体部２１の下部には上面をリブ５ｃで塞がれて吸込口３に臨む吸気室５ａが設けられる。吸気室５ａ内には遠心ファンから成る送風機６が配される。
【００３２】
吸気室５ａには送風機６の排気側と吹出口４とを連結するダクト５ｂが導出される。送風機６の駆動によって吸気室５ａ及びダクト５を介して吸込口３から吹出口４に向かって気流が流通する。従って、吸気室５ａ及びダクト５ｂによって吸込口３と吹出口４とを連通させる空気通路５が形成される。尚、送風機６を軸流ファンにより形成してもよい。
【００３３】
ダクト５ｂの側方にはイオンを発生してダクト５ｂ内に放出するイオン発生部７が設けられる。イオン発生部７は一対の放電電極（不図示）を有し、放電電極に交流波形またはインパルス波形から成る高電圧を印加するとコロナ放電が発生する。一方の放電電極には正電圧が印加され、コロナ放電により空気中の水分子が電離して水素イオンが生成される。この水素イオンが溶媒和エネルギーにより空気中の水分子とクラスタリングする。これにより、Ｈ+（Ｈ2Ｏ）ｍ（ｍは０または任意の自然数）から成る空気イオンの正イオンが放出される。
【００３４】
他方の放電電極には負電圧が印加され、コロナ放電により空気中の酸素分子または水分子が電離して酸素イオンが生成される。この酸素イオンが溶媒和エネルギーにより空気中の水分子とクラスタリングする。これにより、Ｏ2-（Ｈ2Ｏ）ｎ（ｎは任意の自然数）から成る空気イオンの負イオンが放出される。Ｈ+（Ｈ2Ｏ）ｍ及びＯ2-（Ｈ2Ｏ）ｎは空気中の浮遊菌や臭い成分の表面で凝集してこれらを取り囲む。
【００３５】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。従って、プラスイオン及びマイナスイオンを発生して吹出口４から送出することにより、車室内の殺菌及び脱臭を行うことができる。
【００３６】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００３７】
図３は送風装置１の上部を省いた状態の斜視図であり、進退部２６の取り付け構造を示している。回転部２２（図１参照）の内面には環状の支持リング２３が取り付けられている。アーチ状の進退部２６は一端を軸部２１ａ（図２参照）で本体部２１に軸支される。進退部２６の他端はリンク部材２４を介して支持リング２３に連結される。リンク部材２４の両端は軸部２６ａ、軸部２３ａでそれぞれ進退部２６及び支持リング２３に軸支される。
【００３８】
これにより、支持リング２３の回転によって進退部２６が軸部２１ａ（図２参照）を中心に回動して本体部２１の径方向に進退する。即ち、回転部２２と一体に支持リング２３が矢印Ａ方向に回転すると進退部２６が外側に進出し、矢印Ｂ方向に回転すると進退部２６が本体部２１に沿う位置に後退する。
【００３９】
図２に示すように送風装置１はカップホルダ５０に挿入され、使用者は手指により回転部２２を回転させる。この時、使用者が上面板２７を下方に押圧して本体部２１をカップホルダ５０の底面に押しつけて回転部２２を回転させることで、本体部２１と回転部２２との一体回転が防止される。これにより、図４に示すように、進退部２６が外側に進出し、カップホルダ５０の内周面に当接する。このため、車両が振動しても送風装置１が保持され、送風装置１のがたつきを防止することができる。
【００４０】
上記構成の送風装置１において、送風機６及びイオン発生部７が駆動されると、車室内の空気が吸込口３を介して空気通路５に流入する。この時、空気に含まれる塵埃や花粉がフィルタ８により捕集される。塵埃や花粉が除去された空気は空気通路５を流通し、イオン発生部７で発生したイオンが含まれる。そして、吹出口４からイオンを含む空気が車室内に送出され、車室内の除菌及び脱臭が行われる。これにより、車室内の空気が清浄化される。
【００４１】
本実施形態によると、本体部２１に外嵌した環状の回転部２２の回転によって、本体部２１の周面に沿ったアーチ状の進退部２６が径方向に進退する。これにより、カップホルダ５０の内面に進退部２６が当接し、振動による送風装置１のがたつきが防止される。
【００４２】
このため、送風装置１とカップホルダ５０との衝突音や送風装置１の脱落を防止することができる。また、吹出口４の位置が保持されて所望の方向に送風してイオンを送出できるとともに、吸込口３がカップホルダ５０の周壁に塞がれないため風量の減少が防止される。これにより、車室内にイオンが行き渡る。従って、送風装置１の利便性及び空気清浄効果を向上することができる。また、本体部２１の周囲に回転部２２及び進退部２６を配置して、本体部２１の内部にイオンを含む空気が流通する空気通路５を容易に形成することができる。
【００４３】
また、進退部２６の外周面に滑り止め部材を配したので、送風装置１のがたつきをより確実に防止することができる。
【００４４】
また、進退部２６の一端が軸部２１ａで本体部２１に軸支され、他端がリンク部材２４を介して回転部２２に連結されるので、回転部２２の回転により進退する進退部２６を容易に実現することができる。
【００４５】
本実施形態において、進退部２６は４個以外の他の個数でもよく、１個でもよい。この時、少なくとも吸込口３の上方に進退部２６を配置すると、吸込口３が塞がれることを防止できるためより望ましい。
【００４６】
＜第２実施形態＞
次に、図５は第２実施形態の送風装置１の進退部２６の取り付け構造を示す斜視図である。説明の便宜上、前述の図１〜図４に示す第１実施形態と同様の部分には同一の符号を付している。本実施形態は進退部２６がリンク部材２４、２５を介して回転部２２及び本体部２１に連結される。その他の部分は第１実施形態と同様である。
【００４７】
回転部２２（図１参照）の内面には環状の支持リング２３が取り付けられている。進退部２６の一端はリンク部材２５を介して本体部２１に連結され、他端はリンク部材２４を介して支持リング２３に連結される。リンク部材２５の両端は軸部２１ｂ、軸部２６ｂでそれぞれ本体部２１及び進退部２６に軸支される。リンク部材２４の両端は軸部２６ａ、軸部２３ａでそれぞれ進退部２６及び支持リング２３に軸支される。また、リンク部材２４とリンク部材２５はそれぞれの中間位置で軸部２４ａにより連結されている。
【００４８】
これにより、支持リング２３とともに回転部２２が一方向に回転すると図６に示すように進退部２６がスライドして径方向の外側に進出し、他方向に回転すると図５に示すように本体部２１に沿う位置に後退する。この時、進退部２６の両端がリンク部材２４、２５に連結されるため、進退部２６を径方向の外側に大きく進出させることができる。
【００４９】
本実施形態によると、第１実施形態と同様の効果を得ることができる。また、進退部２６の一端がリンク部材２５（第１リンク部材）を介して本体部２１に連結され、他端がリンク部材２４（第２リンク部材）を介して回転部２２に連結される。これにより、回転部２２の回転により進退する進退部２６を容易に実現することができる。また、進退部２６を径方向の外側に大きく進出させることができ、カップホルダ５０の径が大きくても確実に送風装置１を保持することができる。
【００５０】
＜第３実施形態＞
次に、図７は第３実施形態の送風装置１の進退部２６の取り付け構造を示す上面図である。説明の便宜上、前述の図１〜図４に示す第１実施形態と同様の部分には同一の符号を付している。本実施形態はリンク部材２４（図３参照）を省き、カム機構により進退部２６が進退する。その他の部分は第１実施形態と同様である。
【００５１】
回転部２２（図１参照）の下面には周方向に対して傾斜したカム溝２２ｄが凹設される。進退部２６の一端は軸部２１ａで本体部２１に軸支され、他端の上面にはカム溝２２ｄに係合するカム突起２６ｄが突設される。これにより、回転部２２が矢印Ａ方向に回転すると図８に示すように進退部２６が軸部２１ａを中心に回動して外側に進出する。また、回転部２２が矢印Ｂ方向に回転すると進退部２６が本体部２１に沿う位置に後退する。
【００５２】
本実施形態によると、第１実施形態と同様の効果を得ることができる。また、回転部２２に周方向に対して傾斜するカム溝２２ｄを設け、進退部２６にカム突起２６ｄを設けたので、回転部２２の回転により進退する進退部２６を容易に実現することができる。
【００５３】
本実施形態において、回転部２２にカム溝２２ｄを設けて進退部２６にカム突起２６ｄを設けているが、進退部２６にカム溝を設けて回転部２２にカム突起を設けてもよい。
【００５４】
＜第４実施形態＞
次に、図９は第４実施形態の送風装置１を示す斜視図である。説明の便宜上、前述の図１〜図４に示す第１実施形態と同様の部分には同一の符号を付している。本実施形態は進退部２６が上下方向に延びて形成される。その他の部分は第１実施形態と同様である。
【００５５】
４個の進退部２６は周方向に並設され、少なくとも一の進退部２６は吸込口３（図２参照）を覆う位置に配される。これにより、図９及び図１０に示すように進退部２６が進退すると、吸込口３が開閉される。このため、送風装置１の不使用時に進退部２６により吸込口３を閉じ、フィルタ８に対する塵埃付着を低減できるとともにフィルタ８の破損を防止できる。
【００５６】
本実施形態によると、第１実施形態と同様の効果を得ることができる。また、進退部２６によって吸込口３が開閉されるので、フィルタ８の塵埃付着の低減及び破損防止を図ることができる。
【００５７】
本実施形態において、進退部２６を第２、第３実施形態と同様の取り付け構造にしてもよい。
【００５８】
＜第５実施形態＞
次に、図１１及び図１２は第５実施形態の送風装置１を示す斜視図及び正面断面図である。説明の便宜上、前述の図１〜図４に示す第１実施形態と同様の部分には同一の符号を付している。本実施形態は上面板２７が回転部２２と分離され、本体部２１と一体に形成されている。その他の部分は第１実施形態と同様である。
【００５９】
上面板２７は本体部２１の上面に被嵌され、本体部２１の周面から突出する係合爪２１ｄが上面板２７の内周面に凹設される凹部に係合する。これにより、上面板２７が本体部２１と一体に形成される。環状の回転部２２は上面板２７の下方で本体部２１に外嵌され、本体部２１の周面から突出する係合爪２１ｃが回転部２２の内周面に凹設した環状の溝部に嵌合する。これにより、回転部２２は本体部２１及び上面板２７に対して回転可能に配される。
【００６０】
図１２に示すように送風装置１はカップホルダ５０に挿入され、使用者は一方の手で上面板２７を把持して他方の手の手指により回転部２２を回転させる。これにより、図１３に示すように、進退部２６が外側に進出し、カップホルダ５０の内周面に当接する。従って、上面板２７を下方に押圧しなくても本体部２１の回転を簡単に防止し、回転部２２を回転させることができる。
【００６１】
本実施形態によると、第１実施形態と同様の効果を得ることができる。また、上面板２７と本体部２１とを一体に形成したので、上面板２７の把持により本体部２１の回転を防止して回転部２２を回転させることができる。従って、送風装置１の利便性をより向上することができる。
【００６２】
本実施形態において、進退部２６を第２、第３実施形態と同様の取り付け構造にしてもよい。また、第４実施形態と同様に、進退部２６により吸込口３を開閉してもよい。
【００６３】
＜第６実施形態＞
次に、図１４は第６実施形態の送風装置１を示す正面断面図である。説明の便宜上、前述の図１〜図４に示す第１実施形態と同様の部分には同一の符号を付している。本実施形態は送風装置１の筐体２を挿入するアダプタ３０が設けられる。その他の部分は第１実施形態と同様である。
【００６４】
送風装置１はカップホルダ５０に収納されるアダプタ３０と、アダプタ３０の収納空間３１（図１５参照）に挿入される円柱状の筐体２とを備えている。筐体２の周面には吸込口３が開口し、筐体２の上面を形成する上面板２７には吹出口４が開口する。
【００６５】
図１５はアダプタ３０の斜視図を示している。図１４、図１５において、アダプタ３０は第１実施形態の筐体２（図２参照）と同様に構成される本体部２１、回転部２２及び進退部２６を備えている。有底筒状の本体部２１は上面を開放して内部に筐体２を収納する収納空間３１を形成し、本体部２１の周面には吸込口３に対向して開口部２１ｅが開口する。
【００６６】
回転部２２は環状に形成され、本体部２１の上端部に外嵌される。本体部２１の周面から突出する係合爪２１ｃが回転部２２の内周面に凹設した環状の溝部に嵌合して回転部２２が回転可能に配される。
【００６７】
本体部２１の周方向に並設したアーチ状の進退部２６は第１実施形態と同様の取り付け構造に形成される。進退部２６の一端は軸部２１ａで本体部２１に軸支され、他端はリンク部材２４を介して回転部２２に連結される。これにより、回転部２２の回転によって進退部２６が径方向に進退する。
【００６８】
従って、第１実施形態と同様に、カップホルダ５０に収納されるアダプタ３０（カップホルダ収納具）によって、振動によるアダプタ３０を含む送風装置１のがたつきを防止することができる。また、本体部２１の周囲に回転部２２及び進退部２６を配置して、本体部２１の内部に上面を開放して筐体２を収納する収納空間３１を容易に形成することができる。
【００６９】
本実施形態において、進退部２６を第２、第３実施形態と同様の取り付け構造にしてもよい。また、第４実施形態と同様に、進退部２６が開口部２１ｅを覆う位置まで下方に延び、進退部２６により吸込口３を開閉してもよい。
【００７０】
＜第７実施形態＞
次に、図１６は第７実施形態の送風装置１のアダプタ３０を示す斜視図である。説明の便宜上、前述の図１４、図１５に示す第６実施形態と同様の部分には同一の符号を付している。本実施形態はアダプタ３０の上端部に環状の固定部２８が設けられる。その他の部分は第６実施形態と同様である。
【００７１】
環状の固定部２８は本体部２１の上端部に外嵌され、本体部２１の周面から突出する係合爪（不図示）が固定部２８の内面に凹設される凹部に係合する。これにより、固定部２８が本体部２１と一体に形成される。
【００７２】
送風装置１はカップホルダ５０（図１４参照）に挿入され、使用者は一方の手で固定部２８を把持して他方の手の手指により回転部２２を回転させる。これにより、進退部２６が外側に進出し、カップホルダ５０の内周面に当接する。従って、本体部２１の回転を簡単に防止し、回転部２２を回転させることができる。
【００７３】
本実施形態によると、第６実施形態と同様の効果を得ることができる。また、回転部２２の上方の固定部２８と本体部２１とを一体に形成したので、固定部２８の把持により本体部２１の回転を防止して回転部２２を回転させることができる。従って、送風装置１の利便性をより向上することができる。
【００７４】
尚、第１〜第７実施形態において、送風装置１がイオン発生部７を搭載して送風機６によりイオンを送出する構成により空気清浄機能を有するが、これに限られるものではなく送風装置１により他の微粒子を送出してもよい。例えば、送風装置１が殺虫成分を含む薬剤を搭載して送風機により殺虫成分を送出する構成により、殺虫機能を有してもよい。また、送風装置１が芳香剤や消臭剤を搭載して送風機により芳香成分や消臭成分を送出する構成により、芳香機能や消臭機能を有してもよい。
【００７５】
＜第８実施形態＞
次に、図１７は第８実施形態の灰皿を示す斜視図である。説明の便宜上、前述の図１４、図１５に示す第６実施形態と同様の部分には同一の符号を付している。本実施形態はアダプタ３０（図１４参照）と同様の構造を有し、カップホルダ５０（図１４参照）に収納されるカップホルダ収納具を構成する。
【００７６】
灰皿４０は第６実施形態と同様の本体部２１、回転部２２及び進退部２６を備えている。有底筒状の本体部２１の上面は開放され、内部に収納空間４１を形成する。本体部２１の上面は蓋部４２により開閉され、収納空間４１内に吸い殻が収納される。
【００７７】
本実施形態によると、第６実施形態と同様に、カップホルダ５０に収納される灰皿４０（カップホルダ収納具）の振動によるがたつきを防止することができる。また、本体部２１の周囲に回転部２２及び進退部２６を配置して、本体部２１の内部に上面を開放した収納空間４１を容易に形成することができる。
【００７８】
本実施形態において、進退部２６を第２、第３実施形態と同様の取り付け構造にしてもよい。また、第７実施形態と同様の固定部２８（図１６参照）を設けてもよい。尚、カップホルダ５０に収納され、上面を開放して内部に収納空間を形成する他のカップホルダ収納具であってもよい。
【産業上の利用可能性】
【００７９】
本発明によると、カップホルダに収納される車載用送風装置、灰皿等に利用することができる。
【符号の説明】
【００８０】
１    送風装置
２    筐体
３    吸込口
４    吹出口
５    空気通路
５ａ  吸気室
５ｂ  ダクト
６    送風機
７    イオン発生部
８    フィルタ
９    電源コード
１０    制御部
２１    本体部
２１ａ、２１ｂ、２３ａ、２４ａ、２６ａ、２６ｂ  軸部
２２    回転部
２２ａ  長孔
２２ｂ  凹凸部
２２ｄ  カム溝
２３    支持リング
２４、２５  リンク部材
２６    進退部
２６ｄ  カム突起
２７    上面板
２８    固定部
３０    アダブタ
３１、４１  収納空間
４０    灰皿
４２    蓋部
５０    カップホルダ
【図１】
0006475105.tif 000002
【図２】
0006475105.tif 000003
【図３】
0006475105.tif 000004
【図４】
0006475105.tif 000005
【図５】
0006475105.tif 000006
【図６】
0006475105.tif 000007
【図７】
0006475105.tif 000008
【図８】
0006475105.tif 000009
【図９】
0006475105.tif 000010
【図１０】
0006475105.tif 000011
【図１１】
0006475105.tif 000012
【図１２】
0006475105.tif 000013
【図１３】
0006475105.tif 000014
【図１４】
0006475105.tif 000015
【図１５】
0006475105.tif 000016
【図１６】
0006475105.tif 000017
【図１７】
0006475105.tif 000018